(57)【要約】  情報記録媒体の最終化を迅速に行うと同時に、データ領域のデータ記録／再生を円滑に行わせるための情報記録媒体及び記録／再生装置、記録／再生方法が開示される。該情報記録媒体には、媒体の最終化のための領域の少なくとも一部に、あらかじめイングルーブ・プリピットとランド・プリピットとが共に形成されている。
2009533792.tif 000002
【特許請求の範囲】
【請求項１】
情報記録媒体において、
ユーザデータを記録するためのユーザデータ領域と、
少なくとも一部に、あらかじめイングルーブ・プリピットとランド・プリピットとが共に形成されている前記媒体最終化のための領域とを含むことを特徴とする情報記録媒体。
【請求項２】
前記最終化のための領域の少なくとも一部には、エンボスト・プリピットがさらに形成されていることを特徴とする請求項１に記載の情報記録媒体。
【請求項３】
前記最終化のための領域は、前記ユーザデータ領域と、リードイン領域及びリードアウト領域のうちいずれか一つとの間に配されたミドル領域とを含むことを特徴とする請求項１に記載の情報記録媒体。
【請求項４】
前記イングルーブ・プリピットとランド・プリピットとが共に形成される部分は、データ記録または再生動作が始まる領域に隣接していることを特徴とする請求項１に記載の情報記録媒体。
【請求項５】
前記媒体最終化のための領域にプリピットが形成されているか否かを示す情報が、前記媒体の所定領域に記録されていることを特徴とする請求項１に記載の情報記録媒体。
【請求項６】
前記所定領域は、前記媒体のリードイン領域または前記リードイン領域の制御データ領域を含むことを特徴とする請求項５に記載の情報記録媒体。
【請求項７】
情報記録媒体に／からデータを記録／再生する記録／再生装置において、
前記媒体最終化のための領域の少なくとも一部に、あらかじめイングルーブ・プリピットとランド・プリピットとが共に形成されている前記情報記録媒体に、データを記録したり前記媒体からデータを読み取る書込み／読取り部と、
前記媒体の所定領域から、前記最終化のための領域にプリピットが形成されていることを示す情報を読み取り、前記情報からデータ記録動作を管理する制御部とを備えることを特徴とする記録／再生装置。
【請求項８】
前記最終化のための領域は、ユーザデータ領域と、リードイン領域及びリードアウト領域のうちいずれか一つとの間に配されたミドル領域を含むことを特徴とする請求項７に記載の記録／再生装置。
【請求項９】
情報記録媒体に／からデータを記録／再生する記録／再生装置において、
前記媒体最終化のための領域の少なくとも一部に、あらかじめイングルーブ・プリピットとランド・プリピットとが共に形成されている前記情報記録媒体にデータを記録したり、前記媒体からデータを読み取る書込み／読取り部と、
前記イングルーブ・プリピットと前記ランド・プリピットとが共に形成されている部分のアドレス情報を参照し、前記最終化のための領域に隣接しているデータ領域に／からデータを記録／再生するように、前記書込み／読取り部を制御する制御部とを備えることを特徴とする記録／再生装置。
【請求項１０】
前記最終化のための領域は、ユーザデータ領域と、リードイン領域及びリードアウト領域のうちいずれか一つとの間に配されたミドル領域を含むことを特徴とする請求項９に記載の記録／再生装置。
【請求項１１】
情報記録媒体に／からデータを記録／再生する記録／再生方法において、
前記媒体最終化のための領域の少なくとも一部に、あらかじめイングルーブ・プリピットとランド・プリピットとが共に形成されている前記情報記録媒体の所定領域から、前記最終化のための領域にプリピットが形成されていることを示す情報を読み取る段階と、
前記情報からデータ記録動作を管理する段階とを含むことを特徴とする記録／再生方法。
【請求項１２】
前記最終化のための領域は、ユーザデータ領域と、リードイン領域及びリードアウト領域のうちいずれか一つとの間に配されたミドル領域を含むことを特徴とする請求項１１に記載の記録／再生方法。
【請求項１３】
情報記録媒体に／からデータを記録／再生する記録／再生方法において、
前記媒体最終化のための領域の少なくとも一部に、あらかじめイングルーブ・プリピットとランド・プリピットとが共に形成されている前記情報記録媒体の前記イングルーブ・プリピットと前記ランド・プリピットとが共に形成されている部分のアドレス情報を参照し、前記最終化のための領域に隣接しているデータ領域に／からデータを記録／再生する段階を含むことを特徴とする記録／再生方法。
【請求項１４】
前記最終化のための領域は、ユーザデータ領域と、リードイン領域及びリードアウト領域のうちいずれか一つとの間に配されたミドル領域を含むことを特徴とする請求項１３に記載の記録／再生方法。
【請求項１５】
前記イングルーブ・プリピットの深さは、前記ランド・プリピットの深さと異なっていることを特徴とする請求項１３に記載の記録／再生方法。
【請求項１６】
前記プリピットが前記最終化のための領域に形成されているか否かを示す情報が、前記情報記録媒体の所定領域に記録されることを特徴とする請求項１３に記載の記録／再生方法。
【請求項１７】
情報記録媒体に／からデータを記録／再生する装置において、
前記情報記録媒体にデータを記録したり前記情報記録媒体からデータを読み取る書込み／読取り部と、
プリピットが最終化のための領域に形成されているか否かを示す情報を読み取るように前記書込み／読取り部を制御し、前記プリピットが前記最終化のための領域に形成されているか否かを表す前記情報に基づいて、データ記録動作を制御する制御部とを備えることを特徴とする装置。
【請求項１８】
前記プリピットが前記最終化のための領域に形成されているか否かを表す前記情報は、前記情報記録媒体の制御データ領域に記録されることを特徴とする請求項１７に記載の装置。
【請求項１９】
前記情報が前記プリピットが前記最終化のための領域に形成されていることを表すとき、前記制御部は、前記情報記録媒体の最終化過程の間、前記最終化のための領域にデータを記録しないように前記書込み／読取り部を制御し、前記情報が前記プリピットが前記最終化のための領域に形成されていないことを示すとき、前記制御部は、前記情報記録媒体の最終化過程の間、前記最終化のための領域にデータを記録するように前記書込み／読取り部を制御することを特徴とする請求項１７に記載の装置。
【請求項２０】
前記最終化のための領域は、ユーザデータ領域と、リードイン領域及びリードアウト領域のうちいずれか一つとの間に配されたミドル領域を含むことを特徴とする請求項１７に記載の装置。
【発明の詳細な説明】
【技術分野】
【０００１】
本発明は、情報記録媒体に係り、さらに具体的には、かような情報記録媒体の最終化（finalization）を迅速に行わせる構造を有した情報記録媒体、記録／再生装置及び記録／再生方法に関する。
【背景技術】
【０００２】
一般的に、光情報記録媒体、例えば光ディスクは、非接触式で情報を記録／再生する光ピックアップ装置の情報記録媒体として広く採用され、情報記録容量によって、コンパクトディスク（ＣＤ：Compact  Disk）、デジタル多機能ディスク（ＤＶＤ：Digital  Versatile  Disk）に区分される。そして、情報の記録、消去及び再生の可能な光ディスクとして、６５０ＭＢ  ＣＤ−Ｒ（Recordable）、ＣＤ−ＲＷ（Rewritable）、４．７ＧＢ  ＤＶＤ＋Ｒ／ＲＷ、ＤＶＤ−ＲＡＭ（Random  Access  Memory）、ＤＶＤ−Ｒ／ＲＷなどがあり、再生専用ディスクとして、６５０ＭＢ  ＣＤ、４．７ＧＢ  ＤＶＤ−ＲＯＭなどがある。さらに、記録容量が１５ＧＢ以上であるＨＤ（High Density）ＤＶＤまたはＢＤ（Blu-ray  Disc）もあり、それ以上になるディスク、例えば、超解像再生技術を使用するスーパーレンズ（Super  RENS：Resolution  Near  Field  Structure）ディスクも開発が進行中にある。
【０００３】
現在、４．７ＧＢクラスの記録、消去及び再生の可能な光ディスクとして、ＤＶＤ−ＲＡＭとＤＶＤ−ＲＷとを挙げることができる。特に、かような２つのディスクには、データ記録時に光ピックアップが円周方向に一定のトラックに沿って行くことができるように、グルーブ（groove）が設けられてあり、かかるグルーブは、基板を製造するためのスタンパの製造時、すなわちマスタリング時に設けられる。しかし、ＤＶＤ−ＲＡＭとＤＶＤ−ＲＷとの最も大きい差異点としては記録領域を挙げることができ、ＤＶＤ−ＲＡＭは、グルーブ領域と２つの隣接しているグルーブ領域との間に位置したランド（land）領域にいずれも記録を行い、一定の物理的な単位でアクセスするために、各単位のアドレスが入っている物理的ＩＤ（Physical  IDentifier）領域がピット形態に形成されている。一方、ＤＶＤ−ＲＷの場合は、グルーブ領域のみに記録を行い、別途のピットが形成されず、代わりにランド領域にピットの形態でブロックアドレス（block  address）が入っている。また、ＤＶＤ−ＲＷのグルーブの深さは、記録、再生の特性を代表するジッタ（jitter）特性で、最も良好な特性を出す深さと幅とを使用している。ＤＶＤ−ＲＷの概略的なグルーブの深さは、２０〜４０ｎｍであってλ／１２以下であり、これは、ＤＶＤ−ＲＡＭで使用している深さ（λ／６）より浅い。しかし、ユーザによって変更されないピットによる信号及び情報がＤＶＤ−ＲＷでも必要ならば、λ／１２以下の深さにピットを設けるしかない。
【０００４】
ピット深さによる再生信号を波長６５０ｎｍ、ＮＡ（Numerical  Aperture）を０．６０、最小マーク長を０．４２μｍにして計算してみれば、図１Ａないし図１Ｄに図示されているように示される。図１Ａないし１Ｄで、横軸はｎｓを示し、縦軸は正規化されているために、単位はない。図１Ａは、ピットの深さがλ／３であるときに得られる再生信号を示し、図１Ｂは、ピットの深さがλ／４であるときに得られる再生信号を示し、図１Ｃは、ピットの深さがλ／６であるときに得られる再生信号を示し、図１Ｄは、ピットの深さがλ／１２であるとき得られる再生信号を示す。
【０００５】
そして、図１Ａ及び図１Ｂに図示されたグラフが最大値、すなわち、ＤＶＤ−ＲＡＭのピットの深さから出てくる信号で正規化（normalization）をさせれば、図２に図示されているような結果が出てくる。図２に図示された結果から、λ／１２（０．０８λ）以下の深さにピットを形成する場合、３Ｔまたは１４Ｔマークの再生信号がλ／４（０．２５λ）深さでの結果に比べ、ほぼ３０％以下の信号レベルを示す。従って、かかる信号でもっては信頼性あるピット信号を得られず、結果的にピットの深さを調節する必要がある。
【０００６】
このために、ＤＶＤ−ＲＡＭの場合、ピットとグルーブとの深さをλ／６ほどとし、グルーブによるプッシュプル（push-pull）信号とピットから出てくる再生信号とが大きな問題なしに出てくるようにしている。
【０００７】
しかし、ＤＶＤ−ＲＷのように、記録されたマークの記録／再生のためにグルーブ深さが浅い場合には、グルーブ深さを望むように調節することができない。従って、かような問題点を考慮し、米国特許５，５０１，９２６号明細書は、光ディスクで反応を起こす特殊なフォトレジストを使用し、エッチング工程を使用して深さが異なっている二種のピットまたはグルーブを製造する方案を提示している。しかし、この方法は、工程が複雑であって、全体的な製造コストが高まる短所がある。
【０００８】
また、米国特許５，５００，８５０号明細書で提示した方法の場合、製造工程は簡単であるが、深さが異なっているグルーブを設けるためには、２つのレーザの経路を非常に精密に合わせなければならない。
【０００９】
また、エッチング工程を多数利用して製造する方法も提示されている。すなわち、エッチングなどを利用し、二重深さディスクを製造できるが、工程が非常に複雑であり、収率が好ましくないということにより、結果的にディスクコスト面で非常に不利である。
【００１０】
これを克服するために、本出願の発明者は、韓国特許出願番号２０００−００３００３４号で、記録パワーを調節し、深さが互いに異なるグルーブ及びピットを構成する方法を提示した。
【００１１】
このように、深さが互いに異なるグルーブとピットとの形成が可能になることによって、これを利用して光ディスクの最終化を迅速に行える方法が要求される。
【発明の開示】
【発明が解決しようとする課題】
【００１２】
本発明は、前記のような要求によって、光ディスクの最終化を迅速に行い、データ記録／再生動作を円滑に行える情報記録媒体、記録／再生装置及び記録／再生方法を提供することを目的とする。
【課題を解決するための手段】
【００１３】
前記のような課題を解決するための本発明の１つの特徴は、情報記録媒体において、ユーザデータを記録するためのユーザデータ領域と、少なくとも一部に、あらかじめイングルーブ・プリピット（In-groove  prepit）とランド・プリピット（land  prepit）とが共に形成されている最終化のための領域とを含むことである。
【００１４】
前記最終化のための領域の少なくとも一部には、エンボスト・プリピット（embossed  prepit）がさらに形成されていることが可能である。
【００１５】
前記最終化のための領域は、ミドル領域（middle  area）を含むことができる。
【００１６】
前記イングルーブ・プリピットとランド・プリピットとが共に形成される部分は、データ記録または再生動作が始まる領域に隣接していることが望ましい。
【００１７】
前記媒体最終化のための領域にプリピットが形成されているか否かを示す情報が、前記媒体の所定領域に記録されていることが望ましい。
【００１８】
前記所定領域は、前記媒体のリードイン領域または前記リードイン領域の制御データ領域（control  data  area）を含むことができる。
【００１９】
本発明の他の特徴は、情報記録媒体に／からデータを記録／再生する記録／再生装置において、前記媒体最終化のための領域の少なくとも一部に、あらかじめイングルーブ・プリピットとランド・プリピットとが共に形成されている前記情報記録媒体にデータを記録したり前記媒体からデータを読み取る書込み／読取り部と、前記媒体の所定領域から、前記最終化のための領域にプリピットが形成されていることを示す情報を読み取り、前記情報からデータ記録動作を管理する制御部とを備えることである。
【００２０】
本発明の他の特徴は、情報記録媒体に／からデータを記録／再生する記録／再生装置において、前記媒体最終化のための領域の少なくとも一部に、あらかじめイングルーブ・プリピットとランド・プリピットとが共に形成されている前記情報記録媒体にデータを記録したり前記媒体からデータを読み取る書込み／読取り部と、前記イングルーブ・プリピットと前記ランド・プリピットとが共に形成されている部分のアドレス情報を参照し、前記最終化のための領域に隣接しているデータ領域にデータを記録したり再生するように前記書込み／読取り部を制御する制御部とを備えることである。
【００２１】
本発明の他の特徴は、情報記録媒体に／からデータを記録／再生する記録／再生方法において、前記媒体最終化のための領域の少なくとも一部に、あらかじめイングルーブ・プリピットとランド・プリピットとが共に形成されている前記情報記録媒体の所定領域から、前記最終化のための領域にプリピットが形成されていることを示す情報を読み取る段階と、前記情報からデータ記録動作を管理する段階とを含むことである。
【００２２】
本発明の他の特徴は、情報記録媒体に／からデータを記録／再生する記録／再生装置において、前記媒体最終化のための領域の少なくとも一部に、あらかじめイングルーブ・プリピットとランド・プリピットとが共に形成されている前記情報記録媒体の前記イングルーブ・プリピットと前記ランド・プリピットとが共に形成されている部分のアドレス情報を参照し、前記最終化のための領域に隣接しているデータ領域に／からデータを記録／再生する段階とを含むことである。
【発明の効果】
【００２３】
本発明によって、情報記録媒体の製造時に、かような情報記録媒体の最終化時に、データを満たす部分をあらかじめプリピットでもって形成すれば、その後、情報記録媒体を使用した後でこの媒体を最終化するときにかかる時間を節約し、情報記録媒体の最終化を迅速に行える。
【００２４】
また、媒体最終化のための領域のうち、データ記録可能領域と隣接している部分には、ランド・プリピットとイングルーブ・プリピットとをいずれも形成しておくことによって、データ記録可能領域へのデータ記録及び再生を円滑に行えるようになる。
【発明を実施するための最良の形態】
【００２５】
以下、添付された図面を参照しつつ、本発明について詳細に説明する。
【００２６】
図３は、本発明によるところの情報記録媒体の最終化のための領域がプリピット状に形成されている情報記録媒体を示す。図３を参照するに、本発明による情報記録媒体１００には、かような情報記録媒体の最終化のための領域３５がプリピットでもって形成されている。
【００２７】
情報記録媒体の「最終化（finalization）」というのは、媒体にデータを記録して使用していて、それ以上データを記録せずに再生専用のみに媒体を使用するために行うプロセスをいう。情報記録媒体の最終化のためのプロセスは、例えば、前記媒体が最終化されたということを示す情報を前記媒体の所定領域に記録すること、媒体の既定の特定領域に所定のデータを記録して満たすことなどを含む。従来には、媒体の最終化のために、かような特定の領域に所定のデータを記録過程を介して満たさねばならなかったので、媒体の最終化に時間が多くかかっていた。しかし本発明では、かような媒体の最終化のための特定領域をあらかじめ情報記録媒体の製造時にプリピットでもって形成することによって、媒体の最終化時に、この特定領域にデータを満たすのに必要な時間を短縮することができる。従って、本発明による情報記録媒体によって、媒体の最終化を迅速に行えるようになる。特に、多層情報記録媒体の場合に、かような最終化時間節約の効果は、さらに大きい。
【００２８】
前記媒体の最終化時に、最終化目的のデータを満たす特定領域は、情報記録媒体の規格によって、その領域が変わりうる。例えば、かような特定領域はミドル領域（middle area）を含み、情報記録媒体の規格によっては、媒体のリードイン領域やリードアウト領域の一部領域になることもある。または、その他の領域になることがあることは、いうまでもない。
【００２９】
一方、媒体の最終化のための領域３５にプリピットのみを形成する場合には、記録動作時に問題が生じうる。すなわち、記録動作時に、媒体の最終化のための領域３５に入っているプリピットの情報を読んだ後、グルーブ領域の開始点で記録を開始するためには、グルーブのアドレス信号であるランド・プリピット（ＬＰＰ）信号を精密に読む必要がある。ここで、「グルーブ領域」とは、ランドグルーブの形成されているデータ記録可能領域であり、ユーザデータ領域またはテスト領域をいう。しかし、プリピット領域には、データ再生時に参照できるアドレス情報を有したプリピットのみ形成されており、ＬＰＰが存在しないために、プリピットとグルーブとの境界部分で、記録開始位置がずれる可能性がある。このように、記録開始位置がずれた状態で、かような境界部分にそのままデータが記録されれば、エラーレートが悪化し、タイトル再生時に、この境界部分については、画面上にブロックノイズが発生する確率が高くなる。
【００３０】
一方、かような境界部分を、グルーブ領域でのように、ＬＰＰのみで構成すれば、プリピットデータが存在しないために、再生時にかような境界部分を読めずに、従って、タイトル再生時に、ブロックノイズが発生する確率が高くなる。特に、多層ディスクを再生する場合には、層間移動時に、かような境界部分にプリピットが存在しなければ、該境界部分をトラックジャンプする処理が必要になるために、設計が複雑になったり、アクセス時間が長くかかるようになるなどの問題が発生する。
【００３１】
かような問題点を解決するために、本発明は、最終化のための領域に形成されているプリピット部分とグルーブ領域との境界部分に、ＬＰＰ信号とプリピット信号との特性をいずれも有する領域を形成する。このように、ＬＰＰ信号とプリピット信号との特性をいずれも有する領域を、以下では「境界領域」と呼ぶ。このように本発明では、媒体の最終化のための領域にプリピットをあらかじめ形成しておくことによって、最終化時間を短縮させると同時に、また媒体の最終化のための領域のうち、データ記録可能領域に隣接している境界部分には、ＬＰＰ信号とプリピット信号との特性をいずれも有する境界領域を設けることによって、データ記録可能領域へのデータ記録／再生動作を円滑に行えるようになる。
【００３２】
図４は、図３に図示された本発明の一例であって、二層記録層ディスクのレイアウトを示す。図４で、媒体の最終化のための領域３５は、Ｌ０ミドル領域４２とＬ１ミドル領域４６とを含む。ミドル領域は、多層ディスクで層間移動のための領域をいう。図４を参照するに、情報記録媒体１００は、レイヤ＃０  Ｌ０とレイヤ＃１  Ｌ１とを含む二重層構造である。レイヤ＃０は、Ｌ０ユーザデータ領域４１、Ｌ０ミドル領域４２、Ｌ０テスト領域４４を含み、レイヤ＃１は、Ｌ１ユーザデータ領域４５、Ｌ１ミドル領域４６、Ｌ１テスト領域４８を含む。
【００３３】
Ｌ０ユーザデータ領域４１とＬ１ユーザデータ領域４５は、ユーザデータが記録されるための領域であり、Ｌ０ミドル領域４２とＬ１ミドル領域４６は、媒体の最終化のための領域であり、Ｌ０テスト領域４４とＬ１テスト領域４８は、最適パワーコントロール（optimum  power  control）のために、データを記録／再生してみることによって、記録条件などをテストしてみる領域である。
【００３４】
本発明によって、Ｌ０ミドル領域４２とＬ１ミドル領域４６とには、情報記録媒体の最終化を迅速に行うために、情報記録媒体１００の製造時に、あらかじめプリピットが形成されている。また、データ記録可能領域と隣接しているミドル領域の一部には、ＬＰＰ信号とイングルーブ・プリピット信号との特性をいずれも有する境界領域が形成されている。すなわち、Ｌ０ミドル領域４２のうち、Ｌ０テスト領域と隣接している部分には、境界領域４３が形成され、Ｌ１ミドル領域４６のうち、Ｌ１ユーザデータ領域４７と隣接している部分には、境界領域４７が形成されている。
【００３５】
ユーザデータは、図４の矢印で表示されているように、記録が進められる。Ｌ０ユーザデータ領域４１の左側から記録され始め、Ｌ０ユーザデータ領域４１にいずれも記録された後、層間移動を行ってレイヤ１にピックアップが移動する。レイヤ１にピックアップが移動すれば、Ｌ１ミドル領域４６に位置するようになり、ここから左に移動しつつ、Ｌ１ユーザデータ領域４５の記録開始点を探すようになる。このとき、Ｌ１ユーザデータ領域４５の前にある境界領域４７のＬＰＰ信号を利用し、Ｌ１ユーザデータ領域４５の記録開始点を容易に求めることができる。
【００３６】
またデータ再生時には、境界領域４７のイングルーブ・プリピット信号を利用し、Ｌ１ユーザデータ領域４５の再生開始点を容易に求められる。
【００３７】
テストデータは、図４の矢印で表示されているように、記録が進められる。Ｌ０テスト領域４４の左側から記録され始めて右に進み、Ｌ１テスト領域４８では、右側から記録され始めて左側に進む。Ｌ０テスト領域４４にデータを初めて記録し始めるとき、Ｌ０テスト領域４４の記録開始点を正確に求めるために、Ｌ０ミドル領域４２のうち、Ｌ０テスト領域と隣接している境界領域４３のＬＰＰ信号を利用する。
【００３８】
またデータ再生時には、Ｌ０ミドル領域４２のうち、Ｌ０テスト領域と隣接している境界領域４３のイングルーブ・プリピット信号を利用して再生開始点を容易に求められる。
【００３９】
図４に図示された例では、Ｌ０ミドル領域４２やＬ１ミドル領域４６で、一部分のみに境界領域を設けると図示した。例えば境界領域は、１６  ＥＣＣブロックになることがあり、境界領域を除外した残りのミドル領域は、１０５０  ＥＣＣブロックになることがある。しかし、本発明はこれらに限定されず、ＬＰＰとグルーブプリピットとが共に形成される境界領域をミドル領域全体に拡張することもできる。すなわち、図４に図示された例と異なる例として、ミドル領域全体にＬＰＰとグルーブプリピットとが形成されることもある。
【００４０】
図５は、図３に図示された媒体の最終化のための領域の物理的な形態の一例を示すものであり、グルーブの底面とプリピットの底面とが同じ面上に位置し、グルーブの深さとプリピットの深さは、互いに異なる形態の例を示す。図５を参照するに、本発明の一例による情報記録媒体で、媒体の最終化のための領域３５の一部に設けられた境界領域には、グルーブ３１とランド３２とからなるトラックが形成されており、この境界領域を除外した残りの領域には、プリピット３６が形成されている。境界領域のグルーブ３１には、情報記録媒体の製造時に、イングルーブ・プリピット３３が形成されており、ランド３２には、ＬＰＰ  ３４が形成されている。
【００４１】
図５に図示された一例では、グルーブ３１の底面とプリピット３６の底面とはいずれもｂ１であり、底面の高さは同一であって、グルーブ３１の深さはｄ１であり、プリピット３６の深さはｄ２であって異なる。
【００４２】
図６は、図３に図示された媒体の最終化のための領域の物理的な形態の他の例であり、グルーブの底面とプリピットの底面とが互いに異なる面上に位置し、グルーブの深さとプリピットの深さは、互いに異なる形態の例を示す。図６を参照するに、本発明の一例による情報記録媒体で、媒体の最終化のための領域の一部に設けられた境界領域には、グルーブ３１とランド３２とからなるトラックが形成されており、境界領域を除外した残りの領域には、プリピット３６が形成されている。グルーブ３１には、イングルーブ・プリピット３３が形成され、ランド３２には、ＬＰＰ  ３４が形成されている。
【００４３】
図６に図示された一例では、グルーブ３１の底面はｂ２であり、プリピット３６の底面はｂ３であり、底面の高さは互いに異なる。そして、グルーブ３１の深さはｄ１であり、プリピット３６の深さはｄ２であって異なる。
【００４４】
以上の実例と関連した説明では、情報記録媒体の最終化のための領域としてミドル領域だけを例として挙げたが、最終化に使われる時間を短縮することのできる他の領域がある場合には、その領域も同一にプリピットでもって形成すればよい。従って本発明で、情報記録媒体の最終化のために、製造時にプリピット状に形成する領域は、ミドル領域に限定しないということは、当業者ならば十分に理解するできるであろう。
【００４５】
図７は、図５または図６に図示された境界領域のディスク断面を示すための図である。図７を参照するに、境界領域にはランドとグルーブとが形成され、ランドには、データ記録時に参照するためのアドレス情報を有するＬＰＰが形成され、グルーブには、データ再生時に参照するためのアドレス情報を有するイングルーブ・プリピットが形成されている。
【００４６】
図７の上部分は、境界領域を上から見たときのランドグルーブトラックを示し、下は、ａ−ａ’の断面図を示すものであり、イングルーブ・プリピット３３の深さとＬＰＰ  ３４の深さとグルーブ３１の深さとの三種の深さが存在するということが分かる。
【００４７】
図８は、本発明によって、媒体の最終化のための領域にプリピットが形成されていることを示す情報を記録するための領域の例を示す。図８を参照するに、本発明による情報記録媒体１００は、リードイン領域１０、ユーザデータ領域２０、媒体最終化のための領域３５を含む。
【００４８】
ユーザデータ領域２０は、ユーザデータを記録するための領域であり、媒体最終化のための領域３５は、プリピットがあらかじめ形成されている。前述のように、媒体最終化のための領域３５は、ミドル領域になりうる。
【００４９】
リードイン領域１０は、プリレコード領域１１と書換え可能領域１２とを含む。プリレコード領域１１は制御データ領域１３を含み、制御データ領域１３には、媒体に関連した情報がプリレコーディングされている。特に、本発明によって、最終化のための領域にプリピットが形成されているか否かを示す情報がかような制御データ領域１３に記録されることが望ましい。最終化のための領域に、プリピットが形成されているか否か示す情報は、いかなる形態で表示されてもよいが、一例として、図９に図示された物理的フォーマット情報内に含まれうる。
【００５０】
図９を参照するに、制御データ領域１３に記録される物理的フォーマット情報９０は、例えば、ディスク構造９１、記録密度９２などを含むことができ、特に本発明によるところのエンボスト情報コード（embossed  information  code）９３とミドル領域エンボストフラッグ（middle  area  embossed  flag）９４とをさらに含む。
【００５１】
図１０は、図９に図示されたエンボスト情報コードを示す。図１０を参照するに、エンボスト情報コード９３は、媒体にエンボシングされた領域に係る情報を示し、例えばミドル領域と係っては、ビットポジション（Bit  position）２の値が０であるならば、ミドル領域がエンボシングされていないことを示し、ビットポジション２の値が１であるならば、ミドル領域が「リーダブル・エンボスとＬＰＰ領域とを有したエンボシングがされていること」を示す。ここで、「リーダブル・エンボス」とは、前述のイングルーブ・プリピットを意味するものであり、「リーダブル・エンボスとＬＰＰ領域とを有したエンボシングがされていること」は、ミドル領域に、再生動作時に参照できるイングルーブ・プリピットと記録動作時に参照できるＬＰＰとが共に存在する境界領域とプリピット領域とが共にあることを示すこともでき、ミドル領域にＬＰＰ及びイングルーブ・プリピットのみが存在することを示すこともできる。
【００５２】
図１１は、図９に図示されたミドル領域エンボストフラッグを示す。図１１を参照するに、ミドル領域エンボストフラッグ９４は、ミドル領域がエンボシングされているか否かを示すものであり、例えば、フラッグ値が「００００  ００００ｂ」ならば、ミドル領域がエンボシングされていないことを示し、フラッグ値が「００００  ０００１ｂ」ならば、ミドル領域がエンボシングされていることを示す。ここで、「エンボシングされている」とは、前述の境界領域をいい、「リーダブル・エンボスを有したエンボシングがされていること」は、ミドル領域にＬＰＰとイングルーブ・プリピットとが共に存在する境界領域とプリピット領域とが共にあることを示すこともあり、ミドル領域にＬＰＰ及びイングルーブ・プリピットのみが存在することを示すこともできる。
【００５３】
このように、ミドル領域がエンボシングされているか否かを示す情報を重複的に記録することによって、情報の信頼性を高めることができる。すなわち、記録／再生装置がエンボスト情報コード９３の内容を認識できない場合、ミドル領域エンボストフラッグ９４の内容を確認することができるようにすることで、記録／再生装置が誤動作を犯すことを防止できる。
【００５４】
もちろん、最終化のための領域にプリピットが形成されているか否かを示す情報は、制御データ領域１３以外の他の領域に記録されることがあることは、いうまでもない。
【００５５】
図１２は、本発明によって、媒体最終化のための領域にプリピットが形成されているところを示す情報を読み取って利用する記録／再生装置１２０の概略図を示す。図１２を参照するに、本発明による記録／再生装置１２０は、記録及び／または再生が可能な装置であり、書込み／読取り部１２１及び制御部１２２を備える。記録／再生装置１２０は、全体または部分的に、ホスト内にハウジングされて内部に、またはホストに連結された別途のボックスにハウジングされて外部に具現されたドライブシステムとして言及できる。また、図１２に図示された記録／再生装置は、単一装置になることもあり、記録装置（レコーダ）並びに再生装置（プレーヤ）として分離されることもある。
【００５６】
書込み／読取り部１２１は、制御部１２２の制御によって、本発明による情報記録媒体１００にデータを記録し、記録されたデータを再生するためにデータを読み取る。制御部１２２は、ホストの命令によってデータを情報記録媒体１００に記録したり情報記録媒体１００からデータを読み取るように、書込み／読取り部１２１を制御したり、書込み／読取り部１２１によって読み出されたデータを処理して有効なデータを得る。ホストは、記録／再生装置１２０の外部に配列されることもあり、記録／再生装置１２０の内部に配列されるように具現されることもある。
【００５７】
特に、本発明によって、制御部１２２は、情報記録媒体１００を最終化しようとするとき、媒体１００の制御データ領域１３にある「最終化のための領域にプリピットが形成されているか否かを示す情報」を読み取るように、書込み／読取り部１２１を制御する。書込み／読取り部１２１が制御部１２２の制御によって、媒体１００の制御データ領域１３から「最終化のための領域にプリピットが形成されているか否か示す情報」を読み取って制御部１２２に提供すれば、制御部１２２は、前記提供された情報から、媒体最終化のための領域にプリピットが形成されているか否かを判断する。
【００５８】
判断結果、媒体最終化のための領域にプリピットが形成なっている場合には、媒体の最終化時に、かような媒体最終化のための領域にデータを記録するように書込み／読取り部１２１を不要に制御することを防止できる。
【００５９】
判断結果、媒体最終化のための領域にプリピットが形成されていない場合には、もちろん媒体の最終化時に、かような媒体最終化のための領域にデータを記録するように書込み／読取り部１２１を制御する。
【００６０】
また、媒体最終化のための領域と隣接しているデータ記録可能領域にデータを記録するときは、媒体最終化のための領域の一部または全部に設けられた、ＬＰＰとイングルーブ・プリピットとがいずれも形成されている境界領域からＬＰＰ信号を得て、データ記録開始時点を正確に求めることとなる。
【００６１】
また、媒体最終化のための領域と隣接しているデータ領域でデータを再生するときは、媒体最終化のための領域の一部または全部に設けられた、ＬＰＰとイングルーブ・プリピットとがいずれも形成されている境界領域からイングルーブ・プリピット信号を得て、データ再生開始時点を正確に求めることとなる。
【００６２】
以上、本発明についてその望ましい実施形態を中心に述べた。本発明が属する技術分野で当業者は、本発明が本発明の本質的な特性から外れない範囲で変形された形態に具現できることを理解することができるであろう。従って、開示された実施形態は、限定的な観点ではなく、説明的な観点で考慮されねばならない。本発明の範囲は、前述の説明ではなくして特許請求の範囲に示されており、それと同等な範囲内にあるあらゆる差異点は、本発明に含まれるものと解釈されるのである。
【図面の簡単な説明】
【００６３】
【図１Ａ】波長６５０ｎｍ、ＮＡ  ０．６０、最小マーク長０．４２μｍでのピット深さによる再生信号の特性を示すグラフである。
【図１Ｂ】波長６５０ｎｍ、ＮＡ  ０．６０、最小マーク長０．４２μｍでのピット深さによる再生信号の特性を示すグラフである。
【図１Ｃ】波長６５０ｎｍ、ＮＡ  ０．６０、最小マーク長０．４２μｍでのピット深さによる再生信号の特性を示すグラフである。
【図１Ｄ】波長６５０ｎｍ、ＮＡ  ０．６０、最小マーク長０．４２μｍでのピット深さによる再生信号の特性を示すグラフである。
【図２】図１Ｃに図示されたピット深さλ／４の結果を基準に正規化した結果のグラフである。
【図３】本発明によるところの情報記録媒体の最終化のための領域が、プリピット状に形成されている情報記録媒体を示す図である。
【図４】図３に図示された本発明の一例であり、二層記録層ディスクのレイアウトを示す図である。
【図５】図３に図示された媒体最終化のための領域の物理的な形態の一例を示す図である。
【図６】図３に図示された媒体最終化のための領域の物理的な形態の他の例を示す図である。
【図７】図５または図６に図示された補助領域のディスク断面を示すための図である。
【図８】本発明によるところの媒体最終化のための領域に、プリピットが形成されていることを示す情報を記録するための領域の例を示す図である。
【図９】図８の制御データ領域に記録される物理的フォーマット情報を示す図である。
【図１０】図９に図示されたエンボスト情報コードを示す図である。
【図１１】図９に図示されたミドル領域エンボストフラッグを示す図である。
【図１２】本発明によるところの媒体最終化のための領域に、プリピットが形成されていることを示す情報を読み出して利用する記録／再生装置の概略図である。
【図１Ａ】
2009533792.tif 000003
【図１Ｂ】
2009533792.tif 000004
【図１Ｃ】
2009533792.tif 000005
【図１Ｄ】
2009533792.tif 000006
【図２】
2009533792.tif 000007
【図３】
2009533792.tif 000008
【図４】
2009533792.tif 000009
【図５】
2009533792.tif 000010
【図６】
2009533792.tif 000011
【図７】
2009533792.tif 000012
【図８】
2009533792.tif 000013
【図９】
2009533792.tif 000014
【図１０】
2009533792.tif 000015
【図１１】
2009533792.tif 000016
【図１２】
2009533792.tif 000017
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
情報記録媒体において、
ユーザデータを記録するためのユーザデータ領域と、
少なくとも一部に、あらかじめイングルーブ・プリピットとランド・プリピットとが共に形成されている前記媒体最終化のための領域とを含むことを特徴とする情報記録媒体。
【請求項２】
前記最終化のための領域の少なくとも一部には、エンボスト・プリピットがさらに形成されていることを特徴とする請求項１に記載の情報記録媒体。
【請求項３】
前記最終化のための領域は、前記ユーザデータ領域と、リードイン領域及びリードアウト領域のうちいずれか一つとの間に配されたミドル領域とを含むことを特徴とする請求項１に記載の情報記録媒体。
【請求項４】
前記イングルーブ・プリピットとランド・プリピットとが共に形成される部分は、データ記録または再生動作が始まる領域に隣接していることを特徴とする請求項１に記載の情報記録媒体。
【請求項５】
前記媒体最終化のための領域にプリピットが形成されているか否かを示す情報が、前記媒体の所定領域に記録されていることを特徴とする請求項１に記載の情報記録媒体。
【請求項６】
前記所定領域は、前記媒体のリードイン領域または前記リードイン領域の制御データ領域を含むことを特徴とする請求項５に記載の情報記録媒体。
【請求項７】
情報記録媒体に／からデータを記録／再生する記録／再生装置において、
前記媒体最終化のための領域の少なくとも一部に、あらかじめイングルーブ・プリピットとランド・プリピットとが共に形成されている前記情報記録媒体に、データを記録したり前記媒体からデータを読み取る書込み／読取り部と、
前記媒体の所定領域から、前記最終化のための領域にプリピットが形成されていることを示す情報を読み取り、前記情報からデータ記録動作を管理する制御部とを備えることを特徴とする記録／再生装置。
【請求項８】
前記最終化のための領域は、ユーザデータ領域と、リードイン領域及びリードアウト領域のうちいずれか一つとの間に配されたミドル領域を含むことを特徴とする請求項７に記載の記録／再生装置。
【請求項９】
情報記録媒体に／からデータを記録／再生する記録／再生装置において、
前記媒体最終化のための領域の少なくとも一部に、あらかじめイングルーブ・プリピットとランド・プリピットとが共に形成されている前記情報記録媒体にデータを記録したり、前記媒体からデータを読み取る書込み／読取り部と、
前記イングルーブ・プリピットと前記ランド・プリピットとが共に形成されている部分のアドレス情報を参照し、前記最終化のための領域に隣接しているデータ領域に／からデータを記録／再生するように、前記書込み／読取り部を制御する制御部とを備えることを特徴とする記録／再生装置。
【請求項１０】
前記最終化のための領域は、ユーザデータ領域と、リードイン領域及びリードアウト領域のうちいずれか一つとの間に配されたミドル領域を含むことを特徴とする請求項９に記載の記録／再生装置。
【請求項１１】
情報記録媒体に／からデータを記録／再生する装置において、
前記情報記録媒体にデータを記録したり前記情報記録媒体からデータを読み取る書込み／読取り部と、
プリピットが最終化のための領域に形成されているか否かを示す情報を読み取るように前記書込み／読取り部を制御し、前記プリピットが前記最終化のための領域に形成されているか否かを表す前記情報に基づいて、データ記録動作を制御する制御部とを備えることを特徴とする装置。
【請求項１２】
前記プリピットが前記最終化のための領域に形成されているか否かを表す前記情報は、前記情報記録媒体の制御データ領域に記録されることを特徴とする請求項１１に記載の装置。
【請求項１３】
前記情報が前記プリピットが前記最終化のための領域に形成されていることを表すとき、前記制御部は、前記情報記録媒体の最終化過程の間、前記最終化のための領域にデータを記録しないように前記書込み／読取り部を制御し、前記情報が前記プリピットが前記最終化のための領域に形成されていないことを示すとき、前記制御部は、前記情報記録媒体の最終化過程の間、前記最終化のための領域にデータを記録するように前記書込み／読取り部を制御することを特徴とする請求項１１に記載の装置。
【請求項１４】
前記最終化のための領域は、ユーザデータ領域と、リードイン領域及びリードアウト領域のうちいずれか一つとの間に配されたミドル領域を含むことを特徴とする請求項１１に記載の装置。
【国際調査報告】
2009533792.tif 000018
2009533792.tif 000019
2009533792.tif 000020
2009533792.tif 000021